【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
メダル投入口よりメダルを投入し、筐体内の正面上部に設けられたゲーム盤面の上方から下方へとメダルを通過させてメダルの通過位置に応じてゲームが行われ、ゲームの結果に応じてメダルが払い出されるメダルゲーム装置において、
前記筐体の前方にメダルが払出口を介して払い出される操作部を備え、
前記払出口は、前記操作部の上方に前記操作部と隣接して設けられ、
前記操作部には、
前記払い出されたメダルを貯留するメダル貯留部と、
前記メダル投入口と、
前記メダル貯留部に貯留したメダルを前記メダル投入口へとスライドさせて移動可能にする通路と、
が設けられたことを特徴とするメダルゲーム装置。
【請求項２】
請求項１において、
前記通路の一端側に前記メダル投入口が配置されていることを特徴とするメダルゲーム装置。
【請求項３】
メダル投入口よりメダルを投入し、筐体内の正面上部に設けられたゲーム盤面の上方から下方へとメダルを通過させてメダルの通過位置に応じてゲームが行われ、ゲームの結果に応じてメダルが払い出されるメダルゲーム装置において、
前記筐体の前方にメダルが払出口を介して払い出される操作部を備え、
前記払出口は、前記操作部の上方に前記操作部と隣接して設けられ、
前記操作部には、
前記払い出されたメダルを貯留するメダル貯留部と、
前記メダル貯留部の両側に設けられた前記メダル投入口と、
前記メダル貯留部に貯留したメダルを前記両側の各メダル投入口へとスライドさせて移動可能にする通路と、
が設けられたことを特徴とするメダルゲーム装置。
【請求項４】
請求項１〜３のいずれかにおいて、
投入されたメダルを検出するメダル検出手段と、
前記メダル検出手段がメダルを検出したときに、前記ゲームフィールドにメダルを供給するメダル供給手段と、
投入されたメダルを、前記メダル供給手段に移動させるためのメダル投入路とが設けられていることを特徴とするメダルゲーム装置。
【手続補正２】
【補正対象書類名】明細書
【補正対象項目名】全文
【補正方法】変更
【補正の内容】
【発明の詳細な説明】
【発明の名称】メダルゲーム装置
【技術分野】
【０００１】
本発明は、メダルゲーム装置に関し、特に、ゲーム盤面を通過したメダルの通過位置に応じてゲームが行われ、ゲームの結果に応じてメダルが払い出されるメダルゲーム装置に関する。
【背景技術】
【０００２】
一般に、メダルゲーム装置として、メダルプッシャーゲーム装置が知られている。
【０００３】
このようなメダルプッシャーゲーム装置として、例えば、特許文献１に示されるようなものが知られている。
【０００４】
このメダルプッシャーゲーム装置は、筐体内に多数のメダルが載置されたフィールドとフィールド上を往復動するプッシャーとが設けられ、フィールドの後方上部に抽選処理を行う抽選ボードが設けられた状態となっている。
【０００５】
そして、筐体の上部にメダル投入口を設け、このメダル投入口から投入されたメダルが自重で抽選ボードを通過して抽選を行った後、フィールド上に落下する状態となっており、フィールド上のメダルは、プッシャーの往復動によってフィールド上から落下され、このフィールド上から落下されたメダルは筐体の下部に設けたメダル払出口へと自重で払い出されるようになっている。
【特許文献１】特開２００１−２９６４３号公報
【発明の開示】
【発明が解決しようとする課題】
【０００６】
しかし、このようなメダルプッシャーゲーム装置にあっては、メダル投入口が高い位置にあり、しかも、メダル払出口が低い位置にあるため、低い位置にあるメダル払出口に払い出されたメダルをプレーヤがかがんで取り出した後、立ち上がってまたは手を伸ばして高い位置にあるメダル投入口にメダルを投入することとなるため、ゲーム中にこのメダルの取り出しと投入動作を繰り返さなければならず、ゲームが中断されてしまい、しかも、かがんだり立ち上がったりまたは手を伸ばしたりという動作を繰り返さなければならず煩わしいものである。
【０００７】
また、メダル投入口にメダルを投入する際、必ずメダル投入口の位置を確認しなければならないため、抽選ボードから目を離さなければならず、ゲームが中断してしまっていた。
【０００８】
本発明の目的は、ゲームが中断されることなく、連続してメダルの投入ができ、しかも、かがんだり立ち上がったりという煩わしい動作を行うことなくゲームを楽しむことのできるメダルゲーム装置を提供することにある。
【課題を解決するための手段】
【０００９】
前記目的を達成するため、本発明のメダルゲーム装置は、メダル投入口よりメダルを投入し、筐体内の正面上部に設けられたゲーム盤面の上方から下方へとメダルを通過させてメダルの通過位置に応じてゲームが行われ、ゲームの結果に応じてメダルが払い出されるメダルゲーム装置において、
前記筐体の前方にメダルが払出口を介して払い出される操作部を備え、
前記払出口は、前記操作部の上方に前記操作部と隣接して設けられ、
前記操作部には、
前記払い出されたメダルを貯留するメダル貯留部と、
前記メダル投入口と、
前記メダル貯留部に貯留したメダルを前記メダル投入口へとスライドさせて移動可能にする通路と、
が設けられたことを特徴とする。
本発明においては、前記通路の一端側に前記メダル投入口が配置されるようにすることができる。
本発明の他のメダルゲーム装置は、メダル投入口よりメダルを投入し、筐体内の正面上部に設けられたゲーム盤面の上方から下方へとメダルを通過させてメダルの通過位置に応じてゲームが行われ、ゲームの結果に応じてメダルが払い出されるメダルゲーム装置において、
前記筐体の前方にメダルが払出口を介して払い出される操作部を備え、
前記払出口は、前記操作部の上方に前記操作部と隣接して設けられ、
前記操作部には、
前記払い出されたメダルを貯留するメダル貯留部と、
前記メダル貯留部の両側に設けられた前記メダル投入口と、
前記メダル貯留部に貯留したメダルを前記両側の各メダル投入口へとスライドさせて移動可能にする通路と、
が設けられたことを特徴とする。
本発明においては、投入されたメダルを検出するメダル検出手段と、
前記メダル検出手段がメダルを検出したときに、前記ゲームフィールドにメダルを供給するメダル供給手段と、
投入されたメダルを、前記メダル供給手段に移動させるためのメダル投入路とが設けられるようにすることができる。
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【発明を実施するための最良の形態】
【００２７】
本実施の形態のメダルゲーム装置は、メダル投入口にメダルを投入することによってゲームが行われ、ゲームの結果に基づいてメダルが払い出されるメダルゲーム装置において、
払い出されたメダルを貯留するメダル貯留部と、
前記メダル貯留部内のメダルをメダル貯留部から前記メダル投入口へとスライドさせて移動させるための通路とを有することを特徴とする。
本実施の形態によれば、メダル投入口にメダルを投入することによってゲームが行われ、ゲームの結果に基づいてメダルが払い出されるメダルゲーム装置において、メダル貯留部内のメダルをメダル貯留部からメダル投入口へとスライドして移動させる通路を設けることで、ゲームを行うためにかがんだり立ったりまたは手を伸ばしたりという煩わしい動作を行うことなくゲームを楽しむことができ、しかも、メダル貯留部からメダル投入口へとメダルを連続して移動させてメダルの投入を行うことができ、ゲームが中断されることなく、連続してゲームを楽しむことができる。
他の実施の形態のメダルゲーム装置は、ゲーム盤面を通過したメダルの通過位置に基づいてゲームが行われ、ゲームの結果に基づいてメダルが払い出されるメダルゲーム装置において、
払い出されたメダルを貯留するメダル貯留部と、
前記メダル貯留部内のメダルをメダル貯留部からメダル投入口へとスライドさせて移動させるための通路とを有することを特徴とする。
本実施の形態によれば、ゲーム盤面を通過したメダルの通過位置に基づいてゲームが行われ、ゲームの結果に基づいてメダルが払い出されるメダルゲーム装置において、メダル貯留部内のメダルをメダル貯留部からメダル投入口へとスライドして移動させる通路を設けることで、ゲームを行うためにかがんだり立ったりまたは手を伸ばしたりという煩わしい動作を行うことなくゲームを楽しむことができ、しかも、メダル貯留部からメダル投入口へとメダルを連続して移動させてメダルを投入することで、ゲームが中断されることなく、連続してゲームを楽しむことができる。
さらに他の実施の形態のメダルゲーム装置は、メダル投入口よりメダルを投入し、ゲームフィールド上のメダルを落下させることによって、メダルが払い出されるメダルゲーム装置において、
払い出されたメダルを貯留するメダル貯留部と、
前記メダル貯留部内のメダルをメダル貯留部から前記メダル投入口へとスライドさせて移動させるための通路とを有することを特徴とする。
本実施の形態によれば、メダル投入口よりメダルを投入し、ゲームフィールド上のメダルを落下させることによって、メダルが払い出されるメダルゲーム装置において、メダルゲームを行うためにかがんたり立ったりまたは手を伸ばしたりという煩わしい動作を行うことなくゲームを楽しむことができ、しかも、メダル貯留部からメダル投入口へとメダルを連続して移動させてメダルを投入することで、ゲームが中断されることなく、連続してゲームを楽しむことができる。
本実施の形態においては、前記ゲームフィールドから落下したメダルを前記メダル貯留部に導く払出路を設けることができる。
このような構成とすることにより、ゲームフィールドから落下したメダルを払出路を通して自重でメダル貯留部に導くことができる。
この場合、前記払出路には、プレーヤが不正を行うのを防止する不正防止手段を設けることができる。
このような構成とすることにより、ゲームフィールド近傍にメダル貯留部を配置した場合であっても、払出路に不正防止手段が設けられているので、プレーヤが払出路を通してゲームフィールドに手や道具を差し込んでゲームフィールドからメダルを落下させるような不正行為を防止することができる。
本実施の形態においては、前記払出路には、メダル回収路が接続され、
前記払出路から前記メダル貯留部に向かう経路と、前記メダル回収路に向かう経路とを切り替える切替手段を設けることができる。
このような構成とすることにより、ゲーム時には払出路を通してメダル貯留部にメダルを払い出し、メダルゲーム装置に何らかのエラーが発生したり、電源のオフ時に切替手段によってメダル回収路側を開放し、メダルを回収して、メダル貯留部にメダルが払い出されないようにすることができる。
本実施の形態においては、投入されたメダルを検出するメダル検出手段と、
前記メダル検出手段がメダルを検出したときに、前記ゲーム盤面または前記ゲームフィールドにメダルを供給するメダル供給手段と、
投入されたメダルを、前記メダル供給手段に移動させるためのメダル投入路とを設けることができる。
このような構成とすることにより、メダル投入口をゲームフィールドよりも下に設けた場合でも、メダル投入口に投入されたメダルをメダル検出手段によって検出し、メダル供給手段からゲームフィールドにメダルを供給することで、確実に投入されたメダルに対応してメダルをゲームフィールドに供給することができる。
本実施の形態においては、前記メダル貯留部と前記通路とが筐体に設けられた操作部に一体的に設けられ、前記通路の一端側に前記メダル投入口が配置された構成とすることができる。
このような構成とすることにより、操作部上にメダル貯留部と通路とが並んだ状態で配置され、メダル貯留部からメダル投入口へのメダルの移動がより容易に行うことができる。
本実施の形態においては、前記メダル貯留部は略椀状に形成され、
前記通路は、メダル移動面が、前記メダル貯留部の内面と同一面となるように形成された構成とすることができる。
このような構成とすることにより、メダル貯留部からメダル投入口へ至るメダルの移動がより一層容易となる。
以下、本発明の実施例について、図面を参照して詳細に説明する。
【００２８】
図１〜図４は、本発明の一実施例に係るメダルゲーム装置を示す図である。
【００２９】
このメダルゲーム装置１０は、メダルプッシャーゲームを行うもので、図１の正面から見た斜視図に示すように、筐体１２内の正面上部にゲーム盤面１４が設けられ、このゲーム盤面１４の下端位置に前後方向で往復移動を行うプッシャープレート１６を有するメダル載置用のゲームフィールド１８が設けられている。
【００３０】
また、筐体１２の上下方向略中央前方には操作部２０が設けられ、この操作部２０にメダル投入口２２及びメダル３０を貯留するメダル貯留部２５が設けられ、このメダル貯留部２５に筐体１２内のメダル３０を払い出すための払出口２４が、操作部２０の上方に隣接するように筐体１２の前面に設けられている。
【００３１】
ゲーム盤面１４には、表示部２６と、チャッカー部２８と、チャッカー部２８へのメダル３０の進路を邪魔する複数の釘３２と、ゲーム盤面１４の両側上方に配置された放出口３６から放出されたメダル３０の放出方向を変更するワイパー３４とが設けられている。
【００３２】
放出口３６から放出されたメダル３０は、ワイパー３４によって振り分けられ、釘３２によって邪魔されながら下方へと移動し、メダル３０がチャッカー部２８を通過すると、チャッカー部２８の内側に設けたセンサー（図示せず）がメダル３０の通過を検出する。
【００３３】
そして、メダル３０が通過したチャッカー２８の位置に応じて、表示部２６に表示されるゲームが進行し、このゲームの結果に応じて、筐体１２内に設置したメダル払い出し用の払出ホッパー７４からメダル３０がゲームフィールド１８上に払い出されるようになっている。
【００３４】
ゲームフィールド１８上に払い出されたメダル３０及びゲーム盤面１４を通過したメダル３０は、プッシャープレート１６の往復移動によって、ゲームフィールド１８上から落下して払出口２４から払い出され、メダル貯留部２５に貯留されるようになっている。
【００３５】
なお、筐体１２の側部で、操作部２０の下部位置には、メダル投入口２２から投入されたメダル３０の返却口３８が設けられている。
【００３６】
メダル投入口２２は、図２に示すように、操作部２０の両側にそれぞれ１つずつ設けられ、メダル貯留部２５は、２つのメダル投入口２２の間に１ヶ所設けられた状態となっており、２人のプレーヤがメダル貯留部２５を共通にして同時にゲームを楽しむことができるようになっている。
【００３７】
すなわち、２つのメダル投入口２２と１つのメダル貯留部２５とが操作部２０上で横方向に隣接させて配置された状態となっており、メダル貯留部２５からメダル投入口２２にかけては、メダル貯留部２５からメダル投入口２２へとメダル３０を移動可能にする通路４０にて連結された状態となっている。
【００３８】
このように、メダル投入口２２とメダル貯留部２５とを操作部２０上で横方向に隣接されて配置することで、ゲームを行うためにかがんだり立ったりまたは手を伸ばしたりという煩わしい動作を行うことなくゲームを楽しむことができる。
【００３９】
しかも、メダル貯留部２５からメダル投入口２２へとメダル３０を移動可能にする通路４０にてメダル投入口２２とメダル貯留部２５とを連結することで、メダル貯留部２５のメダル３０を見ることなしに、ゲーム盤面１４を見続けたままメダル３０を連続してメダル投入口２２に移動させることができ、ゲームが中断されることなく、連続してゲームを楽しむことができる。
【００４０】
特に、断面略台形状に窪んだ略椀形状に形成されたメダル貯留部２５の通路４０側の内面が、メダル３０を通路４０に移動しやすいように通路４０の表面と同一平面となるように一体に形成されているため、プレーヤは、ゲーム盤面１４を見たままでもメダル３０を移動できる。
【００４１】
また、操作部２０は、ゲームフィールド１８近傍で、ゲームフィールド１８よりも低い位置に配置され、ゲームフィールド１８より落下したメダル３０が自重で払出口２４より払い出されるようになっている。
【００４２】
従って、プレーヤに無理な姿勢を強いることなく、楽な姿勢でゲームを行わせることができ、しかも、ゲームフィールド１８より落下したメダル３０を自重で払出口２４より払い出すことができる。
【００４３】
このゲームフィールド１８から落下したメダル３０は、図３及び図４に示すように、払出路４２を通って払出口２４に払い出し可能にされている。
【００４４】
この払出路４２には、プレーヤが不正を行うのを防止する不正防止手段４４が設けられている。
【００４５】
この不正防止手段４４は、払出路４２をジグザグな経路に形成し、プレーヤが払出口２４から払出路４２を通ってゲームフィールド１８に手や道具を差し込んでゲームフィールド１８からメダル３０を落下させるような不正行為を防止することができるようになっている。
【００４６】
また、払出路４２には、メダル回収路４６が接続され、払出路４２とメダル回収路４６とは、切替手段４８によって切り替え可能にされている。
【００４７】
この切替手段４８は、払出路４２とメダル回収路４６とを切り替える切替プレート５０と、この切替プレート５０を切替駆動するソレノイド５２とからなり、切替プレート５０によりゲーム時にメダル回収路４６側を閉じ、払出路４２側を開放してメダル３０を払出口に払い出すようにするとともに、メダルゲーム装置に何らかのエラーが発生したり、筐体１２を揺らすなどの不正を検出したとき、または、電源のオフ時に、切替プレート５０によりメダル回収路４６側を開放し、払出路４２側を閉塞することで、メダルを筐体１２内に設置したメダル払い出し用の払出ホッパー７４内に回収して、払出口２４からメダル３０が払い出されないようにしている。
【００４８】
メダル投入口２２には、筐体１２内に配設されたホッパー５４にメダル３０を投入するメダル投入路５６が接続され、このメダル投入路５６には、メダル検出手段としての通過センサ５８が配設されている。
【００４９】
そして、この通過センサ５８がメダル３０の通過を検出すると、ホッパー５４から対応した枚数のメダル３０をメダル供給レール７６に送り出し、ゲーム盤面１４上方の放出口３６を経てゲーム盤面１４にメダル３０を供給するようにしている。
【００５０】
従って、メダル投入口２２をゲームフィールド１８の近傍に設けた場合でも、メダル投入口２２に投入されたメダル３０を通過センサ５８によって検出し、ホッパー５４からゲーム盤面１４にメダル３０を供給することで、確実に投入されたメダル３０に対応してメダル３０をゲーム盤面１４に供給することができる。
【００５１】
また、メダル投入路５６には、スリット状の異形コイン排出部６０が設けられ、メダル投入口２２から異形のコイン、例えば、小径のコインが投入された場合に、この異形コイン排出部６０から異形のコイン７８を排出するようにしている。
【００５２】
さらに、メダル投入路５６には、筐体１２の下部に設けられた返却口３８にメダル３０を返却する返却路６２が接続され、この返却路６２とメダル投入路５６とを切替手段６４にて切り替え可能にしている。
【００５３】
この切替手段６４は、メダル投入路５６と返却路６２とを切り替える切替プレート６６と、この切替プレート６６を切り替え駆動させるソレノイド６８とからなり、ゲーム中は、切替プレート６６によりメダル投入路５６を開放し、返却路６２を閉塞して、メダル投入口２２から投入されたメダル３０をホッパー５４内へと投入するようにするとともに、メダルゲーム装置１０に何らかのエラーが発生した場合や、電源のオフ時に切替プレート６６により返却路６２側を開放することで、メダル３０を返却口３８に返却させるようにしている。
【００５４】
また、メダル投入路５６には、ソレノイド７０によって作動するロックアウトピン７２が設けられ、ゲームを行っていないときにメダル３０の投入を阻止するようにしている。
【００５５】
本発明は、前記実施例に限定されるものではなく、本発明の要旨の範囲内において、種々の形態に変形可能である。
【００５６】
例えば、前記実施例では、メダルプッシャーゲームを行うゲーム装置について説明したが、メダルプッシャーゲームに限らず、ゲーム盤面でのゲーム結果に応じてメダルを払い出すメダルゲーム装置一般に適用することが可能である。
【００５７】
また、不正防止手段は、払出路をジグザグ形状に形成する場合に限らず、払出路に設けられた切替プレートによって兼用することもでき、あるいは、払出口とゲームフィールドの間に十分な距離を確保できる場合には、不正防止手段を省略することも可能である。
【００５８】
さらに、ゲームフィールドから落下したメダルが自重で払い出し口に払い出される場合について説明したが、ゲームフィールドから落下したメダルの枚数をカウンタによってカウントし、その枚数に対応したメダルを払出装置から払い出すようにすることも可能である。
【００５９】
また、前記実施例では、メダル検出手段として通過センサを用いたが、リミットフィッチ等を用いることも可能である。
【図面の簡単な説明】
【００６０】
【図１】本発明の一実施例に係るメダルゲーム装置の正面から見た斜視図である。
【図２】図１の操作部の状態を示す拡大平面図である。
【図３】図１のメダルゲーム装置の縦断面図である。
【図４】図３の払出口及び投入口の状態を示す拡大断面図である。
【符号の説明】
【００６１】
１０  メダルゲーム装置
１２  筐体
１４  ゲーム盤面
１６  プッシャープレート
１８  ゲームフィールド
２０  操作部
２２  メダル投入口
２４  払出口
２５  メダル貯留部
３０  メダル
３８  返却口
４０  通路
４２  払出路
４４  不正防止手段
４６  メダル回収路
４８、６４  切替手段
５４  ホッパー
５６  メダル投入路
５８  通過センサ
６２  返却路